(57)【特許請求の範囲】
【請求項１】
アンテナを備える第一の筐体と、
前記第一の筐体と可変自在に連結される第二の筐体と、
を備える無線端末装置であって、
送信信号を生成するベースバンド処理部と、
前記送信信号を増幅する複数の増幅器と、
前記アンテナと前記増幅器のそれぞれとを結ぶ各伝送経路上に設けられた第１スイッチと、
前記伝送経路とグランドとの間に設けられ、第１の所定電圧を印加するとＯＮになり、第２の所定電圧を印加するとＯＦＦになり、前記第１の所定電圧と前記第２の所定電圧との中間電圧を印加した場合、印加した中間電圧に応じた静電容量を発生させる第２スイッチと、
前記第一の筐体と前記第二の筐体との位置関係に対応した前記アンテナのインピーダンスを取得するインピーダンス取得部と、
前記送信信号の周波数帯を基に、前記第１スイッチのいずれか一つをＯＮにし、且つ前記インピーダンス取得部により取得された前記アンテナのインピーダンスを基に、前記第１スイッチがＯＮになっている伝送経路に配置された前記増幅器のインピーダンスと前記アンテナのインピーダンスとが整合するように前記第２スイッチの少なくとも一つに対して前記中間電圧を印加する制御部と、
を備えたことを特徴とする無線端末装置。
【請求項２】
前記インピーダンス取得部は、前記第一の筐体と前記第二の筐体との位置関係を検知するセンサを有し、検知した前記位置関係に応じて前記アンテナのインピーダンスを取得することを特徴とする請求項１に記載の無線端末装置。
【請求項３】
前記制御部は、アンテナのインピーダンスに対応する各前記第２スイッチに印加する電圧の組合せが記載されたテーブルを記憶しており、前記アンテナのインピーダンスを基に該テーブルを参照して、前記第２スイッチに印加する電圧を決定することを特徴とする請求項１又は請求項２に記載の無線端末装置。
【請求項４】
前記インピーダンス取得部は、前記アンテナからの反射波及び前記アンテナに向かう進行波を基に前記アンテナのインピーダンスを検出し、
前記制御部は、前記インピーダンス取得部により検出されるアンテナのインピーダンスが所定の値になるように前記第２スイッチの静電容量を制御することを特徴とする請求項１に記載の無線端末装置。
【請求項５】
前記第１スイッチは、前記第１の所定電圧を印加するとＯＮになり、前記第２の所定電圧を印加するとＯＦＦになり、前記第１の所定電圧と前記第２の所定電圧の中間電圧を印加した場合、印加した中間電圧に応じた静電容量を発生し、
前記制御部は、送信信号の周波数帯及び前記アンテナのインピーダンスを基に、前記第１スイッチのいずれか一つに対して第２の所定電圧を印加し、且つ前記インピーダンス取得部により取得された前記アンテナのインピーダンスを基に、前記第１スイッチがＯＮになっている伝送経路に配置された前記増幅器のインピーダンスと前記アンテナのインピーダンスとを整合させる静電容量を有するように他の各前記第１スイッチ及び各前記第２スイッチに対して前記中間電圧を印加する
ことを特徴とする請求項１〜請求項４のいずれか一つに記載の無線端末装置。
【発明の詳細な説明】
【技術分野】
【０００１】
本発明は、無線端末装置に関する。
【背景技術】
【０００２】
近年、携帯電話などの無線端末装置では、多バンド化や多機能化の要求が増加してきている。ここで、多バンド化とは、様々な周波数帯を利用した無線通信を可能にすることである。これに対して、無線端末装置では、小型化やコストダウンの要求も増加してきている。そのため、なるべく少ない部品で多くのバンドに対応したり、多くの機能をサポートしたりするように、部品の削減が求められている。
【０００３】
無線端末装置は、ＢＢ（Base  Band）部、ＰＡ(Power  Amplifier)、ＬＮＡ（Low  Noise  Amplifier）及びＤＵＰ（Duplexer）などを有している。ＢＢ部は、送信信号の変調及び復調を行う。ＰＡは、送信信号を増幅する。ＬＮＡは、受信信号を増幅する。ＤＵＰは、送受信信号の分波及び合成を行う。そして、複数のバンドを使用する無線端末装置は、使用するバンド（周波数帯）の数と同数のＢＢ部、ＰＡ、ＬＮＡ及びＤＵＰを有している。このような複数のバンドを使用する無線端末装置では、使用するバンドの数よりもアンテナの数が少ない場合がある。その場合、無線端末装置は、各バンドに対応したＤＵＰとアンテナとの間にスイッチを有している。そして、使用するバンドに対応したＤＵＰへとスイッチを切り替えることで、無線端末装置は、各バンドを利用した無線通信を行っている。このスイッチの技術としては、スイッチの制御電圧を中間値に設定することで、スイッチを減衰器として使用する従来技術がある。
【０００４】
また、無線端末装置では、ＰＡとＤＵＰとの間にＩＳＯ（Isolator）を配置して、アンテナの位置の変化などによるアンテナインピーダンスの変動の影響がＰＡに及ばないようにしている場合がある。ここで、上述したように、近年は部品削減の要求が高まってきているため、このＩＳＯの削除が検討されている。
【０００５】
ＩＳＯを設けない場合、無線端末装置では、アンテナのインピーダンスが直接ＰＡの負荷インピーダンスとなって見える。そのため、ＰＡは、アンテナの負荷インピーダンスの影響を受けることになる。
【０００６】
ここで、クラムシェル型などの無線端末装置では、筐体が開いた状態と閉じた状態の二つの状態がある。そして、このような無線端末装置では、それぞれの状態において筐体におけるアンテナの位置が変化する。具体的には、筐体が開いている場合には、アンテナは筐体のほぼ中央に位置するのに対して、筐体が閉じている場合には、アンテナは筐体の端部に位置する。そして、筐体に対するアンテナの位置が変化すると、アンテナのインピーダンスも変化することになる。そのため、ＩＳＯを削減した無線端末装置では、このアンテナのインピーダンスの変化のＰＡへの影響を抑える技術が必要となる。
【０００７】
従来、アンテナのインピーダンスが異なる場合、異なったインピーダンスにおいても装置特性を確保するため、ＰＡの動作領域を飽和領域からバックオフをとり、負荷安定性を高くして使用する技術が提案されている。
【先行技術文献】
【特許文献】
【０００８】
【特許文献１】特開平９−２７０６５９号公報
【発明の概要】
【発明が解決しようとする課題】
【０００９】
しかし、バックオフ量の大きいＰＡはバックオフを抑えたＰＡに比べて電力効率が劣化し消費電力が増大する。このため、ＰＡにおけるバックオフ量を大きくする従来技術ではＩＳＯを用いないことで部品削減を実現しながら、高い電力効率を維持することは困難であった。
【００１０】
開示の技術は、上記に鑑みてなされたものであって、電力効率を下げずに部品を削減した無線端末装置を提供することを目的とする。
【課題を解決するための手段】
【００１１】
本願の開示する無線端末装置は、一つの態様において、アンテナを備える第一の筐体と、前記第一の筐体と可変自在に連結される第二の筐体とを備える。そして、ベースバンド処理部は、送信信号を生成する。増幅器は、前記送信信号を増幅する。第１スイッチは、前記アンテナと前記増幅器のそれぞれとを結ぶ各伝送経路上に設けられる。第２スイッチは、前記伝送経路とグランドとの間に設けられ、第１の所定電圧を印加するとＯＮになり、第２の所定電圧を印加するとＯＦＦになり、前記第１の所定電圧と前記第２の所定電圧との中間電圧を印加した場合、印加した中間電圧に応じた静電容量を有する。インピーダンス取得部は、前記第一の筐体と前記第二の筐体との位置関係に対応した前記アンテナのインピーダンスを取得する。制御部は、前記送信信号の周波数帯を基に、前記第１スイッチのいずれか一つをＯＮにし、且つ前記インピーダンス取得部により取得された前記アンテナのインピーダンスを基に、前記第１スイッチがＯＮになっている伝送経路に配置された前記増幅器のインピーダンスと前記アンテナのインピーダンスとが整合するように前記第２スイッチの少なくとも一つに対して前記中間電圧を印加する。
【発明の効果】
【００１２】
本願の開示する無線端末装置の一つの態様によれば、電力効率を下げずに部品を削減することができるという効果を奏する。
【図面の簡単な説明】
【００１３】
【図１】図１は、実施例１に係る携帯電話のブロック図である。
【図２】図２は、ＦＥＴスイッチの模式図である。
【図３】図３は、実施例１に係る携帯電話のＡＮＴスイッチ部の回路例を示す図である。
【図４】図４は、実施例１に係る携帯電話の設定情報テーブルの一例の図である。
【図５】図５は、実施例１に係る携帯電話の信号送信の処理のフローチャートである。
【図６】図６は、実施例１に係る携帯電話による負荷インピーダンスの変化を説明するためのスミスチャートである。
【図７】図７は、実施例２に係る携帯電話のブロック図である。
【図８】図８は、実施例２に係る携帯電話のＡＮＴスイッチ部の回路例を示す図である。
【図９】図９は、実施例２に係る携帯電話の設定情報テーブルの一例の図である。
【図１０】図１０は、実施例２に係る携帯電話の信号送信の処理のフローチャートである。
【図１１】図１１は、実施例３に係る携帯電話のブロック図である。
【図１２】図１２は、インピーダンス検出部の詳細を表すブロック図である。
【図１３】図１３は、検出されたアンテナのインピーダンスに対する印加電圧の制御を説明するための図である。
【図１４】図１４は、実施例３に係る携帯電話の信号送信の処理のフローチャートである。
【発明を実施するための形態】
【００１４】
以下に、本願の開示する無線端末装置の実施例を図面に基づいて詳細に説明する。なお、以下の実施例により本願の開示する無線端末装置が限定されるものではない。また以下では、無線端末装置として携帯電話を例に説明するが、これに限られるものではなく、無線通信機能を備えた無線端末装置であればよい。
【実施例１】
【００１５】
図１は、実施例１に係る携帯電話のブロック図である。本実施例に係る携帯電話は、図１に示すように、ＡＮＴ（antenna）スイッチ１、ＤＵＰ２１〜２３、ＬＮＡ３１〜３３、ＰＡ４１〜４３、ＢＢ部５、記憶部６、制御部７、開閉検知部８及びアンテナ９を有している。
【００１６】
ＡＮＴスイッチ１は、スイッチ１１〜１３及びＦＥＴ（Field  Effect  Transistor）スイッチ１４〜１６を有している。
【００１７】
スイッチ１１は、アンテナ９とＬＮＡ３１及びＰＡ４１とをＤＵＰ２１を介して接続する信号の伝送経路上に配置される。本実施例では、スイッチ１１は、アンテナ９とＤＵＰ２１との間に設けられている。そして、周波数帯として第１のバンドを有する信号を送受信する場合、スイッチ１１はＯＮになる。そして、周波数帯として、第２のバンド又は第３のバンドを有する信号を送受信する場合、スイッチ１１はＯＦＦとなる。すなわち、スイッチ１１が配置された伝送経路は、第１のバンドを有する信号の送受信に用いられる。以下では、第１のバンドを有する信号をＢａｎｄ１と言う。また、第２のバンドを有する信号をＢａｎｄ２と言う。また、第３のバンドを有する信号をＢａｎｄ３と言う。
【００１８】
スイッチ１２は、アンテナ９とＬＮＡ３２及びＰＡ４２とをＤＵＰ２２を介して接続する信号の伝送経路上に配置される。本実施例では、スイッチ１２は、アンテナ９とＤＵＰ２２との間に設けられている。そして、Ｂａｎｄ２を送受信する場合、スイッチ１２はＯＮになる。そして、Ｂａｎｄ２又はＢａｎｄ３を送受信する場合、スイッチ１２はＯＦＦとなる。すなわち、スイッチ１２が配置された伝送経路は、Ｂａｎｄ２の送受信に用いられる。
【００１９】
スイッチ１３は、アンテナ９とＬＮＡ３３及びＰＡ４３とをＤＵＰ２３を介して接続する信号の伝送経路上に配置される。本実施例では、スイッチ１３は、アンテナ９とＤＵＰ２３との間に設けられている。そして、Ｂａｎｄ３を送受信する場合、スイッチ１３はＯＮになる。そして、Ｂｎａｄ１又はＢｎａｄ２を送受信する場合、スイッチ１３はＯＦＦとなる。すなわち、スイッチ１３が配置された伝送経路は、Ｂａｎｄ３の送受信に用いられる。このスイッチ１１〜１３が「第１スイッチ」の一例にあたる。
【００２０】
ＦＥＴスイッチ１４は、アンテナ９とＰＡ４１とを結ぶ信号の伝送経路とグランドとを接続する経路上に配置されたスイッチである。すなわち、ＦＥＴスイッチ１４がＯＮの場合、アンテナ９とＰＡ４１とを結ぶ伝送経路は基準電圧に落とされる。本実施例では、ＦＥＴスイッチ１４は、スイッチ１１とＤＵＰ２１との間に配置されている。
【００２１】
ＦＥＴスイッチ１４は、例えば、−３Ｖ以下の電圧が印加されるとＯＦＦとなり−０．８Ｖ以上の電圧が印加されるとＯＮとなるスイッチである。また、ＦＥＴスイッチ１４は、−０．８Ｖ〜−３Ｖの間の中間電圧が印加された場合、静電容量を有する。すなわち、ＦＥＴスイッチ１４は、−０．８Ｖ〜−３Ｖの間の中間電圧（以下では、単に「中間電圧」と言う。）が印加された場合、コンデンサとみなすことができる。
【００２２】
ここで、図２を参照して、ＦＥＴスイッチ１４の一例について具体的に説明する。図２は、ＦＥＴスイッチの模式図である。
【００２３】
ＦＥＴスイッチ１４は、ドレイン端子１４１、ゲート端子１４２、ソース端子１４３、ドレイン半導体１４４、空乏層１４５、ソース半導体１４６及び基材１４７を有している。
【００２４】
ゲート端子１４２に電圧を印加することで、空乏層１４５の厚さが変化する。そして、ドレイン端子１４１、ドレイン半導体１４４、空乏層１４５、ソース端子１４３及びソース半導体１４６は、空乏層１４５の厚さによって静電容量が決定するコンデンサとなる。
【００２５】
静電容量が十分に小さい場合、すなわち、空乏層１４５が十分に大きい場合、ドレイン半導体１４４とソース半導体１４６とが電気的に絶縁される。これにより、ソース端子１４３とドレイン端子１４１との間で信号の授受が行われなくなる。すなわち、ＦＥＴスイッチ１４は、ＯＦＦ状態となる。また、静電容量が十分に大きい場合、すなわち、空乏層１４５が十分に小さい場合、ドレイン半導体１４４とソース半導体１４６とが電気的に接続される。これにより、ソース端子１４３とドレイン端子１４１との間で信号の授受が行われるようになる。すなわち、ＦＥＴスイッチ１４は、ＯＮ状態となる。ここで、ＦＥＴスイッチ１４は、ゲート端子１４２に０Ｖの電圧が印加されている状態でＯＮとなるＤＦＥＴ（Depletion  type  FET）である。すなわち、ゲート端子１４２に０Ｖが印加されると静電容量は十分大きくなり、ＦＥＴスイッチ１４はＯＮとなる。ここで、ＦＥＴスイッチ１４は、ゲート端子１４２に−０．８Ｖより大きい電圧が印加されるとＯＮとなる。また、ゲート端子１４２にスレッショルド電圧である−０．３Ｖより小さい電圧が印加されると、静電容量は十分小さくなり、ＦＥＴスイッチ１４はＯＦＦとなる。
【００２６】
そして、−０．８Ｖ以上かつ−０．３Ｖ以下の中間電圧がゲート端子１４２に印加されると、ＦＥＴスイッチ１４は、ＯＮとＯＦＦの中間の状態となる。この場合、ＦＥＴスイッチ１４は、コンデンサとみなすことができる。そして、中間電圧を変化させることで、ＦＥＴスイッチ１４の静電容量が変化する。
【００２７】
ＦＥＴスイッチ１４は、後述する制御部７からの制御を受けて中間電圧が印加され、所定の静電容量を有するコンデンサとなる。
【００２８】
ＦＥＴスイッチ１５は、アンテナ９とＰＡ４２とを結ぶ信号の伝送経路とグランドとを接続する経路上に配置されたスイッチである。すなわち、ＦＥＴスイッチ１５がＯＮの場合、アンテナ９とＰＡ４２とを結ぶ伝送経路は基準電圧に落とされる。本実施例では、ＦＥＴスイッチ１５は、スイッチ１２とＤＵＰ２２との間に配置されている。
【００２９】
そして、ＦＥＴスイッチ１５は、ＦＥＴスイッチ１４と同様の構成を有するスイッチである。ＦＥＴスイッチ１５は、後述する制御部７からの制御を受けて中間電圧が印加され、所定の静電容量を有するコンデンサとなる。
【００３０】
ＦＥＴスイッチ１６は、アンテナ９とＰＡ４３とを結ぶ信号の伝送経路とグランドとを接続する経路上に配置されたスイッチである。すなわち、ＦＥＴスイッチ１６がＯＮの場合、アンテナ９とＰＡ４３とを結ぶ伝送経路は基準電圧に落とされる。本実施例では、ＦＥＴスイッチ１６は、スイッチ１３とＤＵＰ２３との間に配置されている。
【００３１】
そして、ＦＥＴスイッチ１６は、ＦＥＴスイッチ１４と同様の構成を有するスイッチである。ＦＥＴスイッチ１６は、後述する制御部７からの制御を受けて中間電圧が印加され、所定の静電容量を有するコンデンサとなる。このＦＥＴスイッチ１４〜１６が「第２スイッチ」の一例にあたる。
【００３２】
図３は、実施例１に係る携帯電話のＡＮＴスイッチ部の回路例を示す図である。端子Ｔ１は、ＦＥＴスイッチ１４のゲート端子に接続されている。端子Ｔ２は、ＦＥＴスイッチ１５のゲート端子に接続されている。端子Ｔ３は、ＦＥＴスイッチ１６のゲート端子に接続されている。端子Ｔ１〜Ｔ３にはそれぞれ異なる電圧をかけることができる。これにより、ＦＥＴスイッチ１４〜ＦＥＴスイッチ１６のそれぞれにゲート電圧を異ならせて印加することができる。
【００３３】
ＤＵＰ２１は、Ｂａｎｄ１信号の送受信信号の分波及び合成を行う。ＤＵＰ２１は、Ｂａｎｄ１信号の送受信において１本のアンテナ９を共有するためのアンテナ共用器である。ＤＵＰ２１は、後述するＰＡ４１から増幅された送信信号の入力を受ける。そして、ＤＵＰ２１は、スイッチ１１がＯＮの場合、アンテナ９を介して外部装置へ送信信号を送信する。また、ＤＵＰ２１は、スイッチ１１がＯＮの場合、受信信号の入力をアンテナ９から受ける。そして、ＤＵＰ２１は、受信信号をＬＮＡ３１へ出力する。
【００３４】
ＤＵＰ２２は、Ｂａｎｄ２信号の送受信信号の分波及び合成を行う。ＤＵＰ２２は、Ｂａｎｄ２信号の送受信において１本のアンテナ９を共有するためのアンテナ共用器である。ＤＵＰ２２は、後述するＰＡ４２から増幅された送信信号の入力を受ける。そして、ＤＵＰ２２は、スイッチ１２がＯＮの場合、アンテナ９を介して外部装置へ送信信号を送信する。また、ＤＵＰ２２は、スイッチ１２がＯＮの場合、受信信号の入力をアンテナ９から受ける。そして、ＤＵＰ２２は、受信信号をＬＮＡ３２へ出力する。
【００３５】
ＤＵＰ２３は、Ｂａｎｄ３信号の送受信信号の分波及び合成を行う。ＤＵＰ２３は、Ｂａｎｄ３信号の送受信において１本のアンテナ９を共有するためのアンテナ共用器である。ＤＵＰ２３は、後述するＰＡ４３から増幅された送信信号の入力を受ける。そして、ＤＵＰ２３は、スイッチ１３がＯＮの場合、アンテナ９を介して外部装置へ送信信号を送信する。また、ＤＵＰ２３は、スイッチ１３がＯＮの場合、受信信号の入力をアンテナ９から受ける。そして、ＤＵＰ２３は、受信信号をＬＮＡ３３へ出力する。
【００３６】
ＬＮＡ３１は、受信信号の入力をＤＵＰ２１から受ける。そして、ＬＮＡ３１は、受信信号を増幅する。そして、ＬＮＡ３１は、増幅した受信信号をＢＢ部５へ出力する。
【００３７】
ＬＮＡ３２は、受信信号の入力をＤＵＰ２２から受ける。そして、ＬＮＡ３２は、受信信号を増幅する。そして、ＬＮＡ３２は、増幅した受信信号をＢＢ部５へ出力する。
【００３８】
ＬＮＡ３３は、受信信号の入力をＤＵＰ２３から受ける。そして、ＬＮＡ３３は、受信信号を増幅する。そして、ＬＮＡ３３は、増幅した受信信号をＢＢ部５へ出力する。
【００３９】
ＰＡ４１は、送信信号の入力をＢＢ部５から受ける。そして、ＰＡ４１は、受信した送信信号を増幅する。そして、ＰＡ４１は、増幅した送信信号をＤＵＰ２１へ出力する。ここで、ＡＮＴスイッチ１におけるＦＥＴスイッチ１４〜ＦＥＴスイッチ１６の静電容量の調整により、アンテナ９のインピーダンスとＰＡ４１の出力との整合が取られている。そのため、ＰＡ４１は、アンテナ９のインピーダンスに関わらず、良い特性で増幅を行うことができる。ここで、増幅器の特性が良いとは、電力、ひずみ、電圧などを勘案し、増幅器の利得が最大となるように調整された特性のことである。
【００４０】
ＰＡ４２は、送信信号の入力をＢＢ部５から受ける。そして、ＰＡ４２は、受信した送信信号を増幅する。そして、ＰＡ４２は、増幅した送信信号をＤＵＰ２２へ出力する。ここで、ＡＮＴスイッチ１におけるＦＥＴスイッチ１４〜ＦＥＴスイッチ１６の静電容量の調整により、アンテナ９のインピーダンスとＰＡ４２の出力との整合が取られている。そのため、ＰＡ４２は、アンテナ９のインピーダンスに関わらず、良い特性で増幅を行うことができる。
【００４１】
ＰＡ４３は、送信信号の入力をＢＢ部５から受ける。そして、ＰＡ４３は、受信した送信信号を増幅する。そして、ＰＡ４３は、増幅した送信信号をＤＵＰ２３へ出力する。ここで、ＡＮＴスイッチ１におけるＦＥＴスイッチ１４〜ＦＥＴスイッチ１６の静電容量の調整により、アンテナ９のインピーダンスとＰＡ４３の出力との整合が取られている。そのため、ＰＡ４３は、アンテナのインピーダンスに関わらず、良い特性で増幅を行うことができる。このＰＡ４１〜４３が、「増幅器」の一例にあたる。
【００４２】
ＢＢ部５は、操作者により入力された信号に対して変調を施し、送信信号であるベースバンド信号を生成する。そして、ＢＢ部５は、送信信号の周波数からＰＡ１４〜ＰＡ１６のいずれで送信信号を増幅するかを決定する。そして、ＢＢ部５は、決定した増幅器に生成した送信信号を出力する。また、ＢＢ部５は、送信信号のバンド情報を制御部７へ出力する。
【００４３】
また、ＢＢ部５は、ＬＮＡ３１〜ＬＮＡ３３から受信信号の入力を受ける。そして、ＢＢ部５は、受信した信号に対して復調を施し、表示部やスピーカなどを用いて操作者に復調を施した信号の情報を提供する。このＢＢ部５が、「ベースバンド処理部」の一例にあたる。
【００４４】
記憶部６は、メモリやハードディスクなどの記憶装置である。本実施例では、記憶部６は、図４に示すバンドと携帯電話の開閉状態の組合せに対応させてスイッチ１１〜１３のＯＮ／ＯＦＦ及びＦＥＴスイッチ１４〜１６に印加する電圧が記載された設定情報テーブル２００を予め記憶している。図４は、実施例１に係る携帯電話の設定情報テーブルの一例の図である。
【００４５】
図４に示すように、設定情報テーブル２００には、バンド、開閉状態、スイッチＯＮ／ＯＦＦ及び印加電圧の項目が設けられている。設定情報テーブル２００のバンドの項は、送信信号のバンド情報を表している。また、設定情報テーブル２００の開閉状態の項は、携帯電話が開いた状態か閉じた状態かを表している。ここで、携帯電話が開いた状態と、閉じた状態ではアンテナ９のインピーダンスが異なる。そのため、携帯電話の開閉状態が分かれば、そのときのアンテナ９のインピーダンスが特定できる。すなわち、設定情報テーブル２００は、アンテナ９のインピーダンスを携帯電話の開閉状態によって表している。そして、設定情報テーブル２００のスイッチＯＮ／ＯＦＦの項が、送信信号のバンドに対応するスイッチ１１〜スイッチ１３のＯＮ／ＯＦＦ状態を表している。ここで、設定情報テーブル２００のＳＷ（Switch）はスイッチを表している。さらに、設定情報テーブル２００の印加電圧の項が、送信信号のバンド及び開閉状態の組に対応した、ＦＥＴスイッチ１４〜１６に印加する電圧を表している。言い換えれば、設定情報テーブル２００の印加電圧の項は、送信信号のバンドとアンテナ９のインピーダンス組に対応するＦＥＴスイッチ１４〜１６の印加電圧を表している。すなわち、設定情報テーブル２００を用いることで、送信信号のバンド情報及び携帯電話の開閉状態が特定されれば、その場合のスイッチ１１〜１３のＯＮ／ＯＦＦ及びＦＥＴスイッチ１４〜１６の印加電圧が特定される。
【００４６】
例えば、送信信号のバンドがＢａｎｄ１かつ携帯電話が閉じた状態の場合について説明する。この場合、対応するスイッチ１１〜スイッチ１３のＯＮ／ＯＦＦ状態は、スイッチ１１がＯＮでスイッチ１２及びスイッチ１３がＯＦＦである。これは、送信信号のバンドがＢａｎｄ１の場合、ＰＡ４１で送信信号を増幅し、その増幅した送信信号をアンテナ９から送信するためである。また、この場合に対応するＦＥＴスイッチ１４〜ＦＥＴスイッチ１６の印加電圧はそれぞれ、Ｖ１（２）〜Ｖ３（２）である。ここで、この場合、スイッチ１１がＯＮであり、ＰＡ４１で増幅された送信信号はＤＵＰ２１及びスイッチ１１を経由してアンテナ９から送信される。そして、Ｖ１（２）、Ｖ２（２）及びＶ３（２）は、それらの電圧を印加した場合のＦＥＴスイッチ１４〜ＦＥＴスイッチ１６の静電容量によりアンテナ９のインピーダンスとＰＡ４１の出力との整合が取れるように決定されている。言い換えれば、アンテナ９とＰＡ４１とを結ぶ伝送路の負荷インピーダンスをスミスチャートで表した場合に、表されたインピーダンスがスミスチャートの中心部に近づくようにＦＥＴスイッチ１４〜ＦＥＴスイッチ１６の静電容量が決定される。そして、その決定された静電容量をＦＥＴスイッチ１４〜ＦＥＴスイッチ１６が有する電圧がＶ１（２）、Ｖ２（２）及びＶ３（２）である。ここで、スイッチ１１がＯＮの場合、ＦＥＴスイッチ１４が、アンテナ９のインピーダンスに支配的な影響を与える。そこで、ＦＥＴスイッチ１４の静電容量を主に調整することになる。そして、ＦＥＴスイッチ１５及びＦＥＴスイッチ１６はＯＮにしてグランドに接続し、ＤＵＰ２２及びＤＵＰ２３につながる伝送経路を基準電圧に落としても良い。
【００４７】
ここで、図４の設定情報テーブル２００には、３通りの設定情報が記載されているが、実際には、使用するバンド数とそれに対応する開閉状態の数の設定情報が、設定情報テーブル２００に記載されている。また、ここでは送信信号のバンドがＢａｎｄ１かつ携帯電話が閉じた状態の場合のＯＮ／ＯＦＦ状態及び印加電圧について説明したが、バンドや開閉状態が他の場合においても、同様にＯＮ／ＯＦＦ状態及び印加電圧が決定される。
【００４８】
開閉検知部８は、携帯電話の筐体が開いた状態又は閉じた状態のいずれであるかを検出する。例えば、開閉検知部８は、ヒンジ機構に設けられたセンサであり、ヒンジ機構の角度を検知してその角度に応じて筐体の開閉を検出する。そして、開閉検知部８は、携帯電話の筐体の開閉状態の情報を制御部７へ出力する。開閉検知部８は、「インピーダンス取得部」の一例にあたる。
【００４９】
制御部７は、送信信号のバンド情報をＢＢ部５から受信する。また、制御部７は、携帯電話の筐体の開閉状態の入力を開閉検知部８から受ける。
【００５０】
そして、制御部７は、受信したバンド情報及び開閉状態に対応する、スイッチ１１〜１３のＯＮ／ＯＦＦ及びＦＥＴスイッチ１４〜１６の印加電圧を取得する。例えば、送信信号のバンドがＢａｎｄ１であり、携帯電話が閉じた状態の場合、制御部７は、スイッチ１１がＯＮ、スイッチ１２及びスイッチ１３がＯＦＦ及びＦＥＴスイッチ１４〜１６のそれぞれに対する印加電圧がＶ１（２）〜Ｖ３（２）という情報を取得する。
【００５１】
そして、制御部７は、取得した情報に合わせてスイッチ１１〜１３及びＦＥＴスイッチ１４〜１６の制御を行う。例えば、制御部７が、スイッチ１１がＯＮ、スイッチ１２及びスイッチ１３がＯＦＦ及びＦＥＴスイッチ１４〜１６のそれぞれに対する印加電圧がＶ１（２）〜Ｖ３（２）という情報を取得した場合で説明する。制御部７は、スイッチ１１をＯＮにする。これにより、ＰＡ４１から出力された送信信号が、アンテナ９を介して送信されることになる。また、制御部７は、スイッチ１２及びスイッチ１３をＯＦＦにする。これにより、ＤＵＰ２２及びＤＵＰ２３からの信号がアンテナ９へ伝わらなくなると共に、アンテナ９から入力される信号がＤＵＰ２２及びＤＵＰ２３へ伝わらなくなる。また、制御部７は、ＦＥＴスイッチ１４に対してＶ１（２）のゲート電圧をかけ所定の静電容量を有するコンデンサとする。また、制御部７は、ＦＥＴスイッチ１５に対してＶ２（２）のゲート電圧をかけ所定の静電容量を有するコンデンサとする。また、制御部７は、ＦＥＴスイッチ１６に対してＶ３（２）のゲート電圧をかけ所定の静電容量を有するコンデンサとする。これにより、アンテナ９のインピーダンスとＰＡ４１の出力のインピーダンスとの整合が取れる。言い換えれば、アンテナ９とＰＡ４１とを結ぶ伝送路の負荷インピーダンスをスミスチャートで表した場合に、表された負荷インピーダンスがスミスチャートの中心部付近となる。
【００５２】
また、ここでは、送信信号のバンド及び開閉状態の全ての組においてＦＥＴスイッチ１４〜１６への印加電圧を調整してアンテナ９のインピーダンスとＰＡ４１〜４３のうちの送信信号を増幅する増幅器の出力インピーダンスとを整合させるように説明した。ただし、送信信号のバンド及び開閉状態の全ての組で送信信号の伝送経路以外に配置されたＦＥＴスイッチをコンデンサとして用いる必要は無い。例えば、開いた状態のアンテナインピーダンスとＰＡのインピーダンスとが整合するように、ＰＡが予め設計されている場合がある。その場合、開いた状態では、ＦＥＴスイッチをコンデンサとして用いてインピーダンスを整合させなくてもよい。そこで、開いた状態では、単に、送信信号の伝送経路に配置されたＦＥＴスイッチをＯＦＦにして、他のＦＥＴスイッチをＯＮにするようにしてもよい。
【００５３】
次に、図５を参照して、本実施例に係る携帯電話の信号送信の処理の流れについて説明する。図５は、実施例１に係る携帯電話の信号送信の処理のフローチャートである。
【００５４】
制御部７は、開閉検知部８が検知した携帯電話の開閉状態の情報を取得する（ステップＳ１０１）。
【００５５】
次に、制御部７は、送信信号として使用する信号のバンドの情報をＢＢ部５から取得する（ステップＳ１０２）。
【００５６】
そして、制御部７は、開閉状態の情報及びバンド情報に対応するスイッチ１１〜スイッチ１３のＯＮ／ＯＦＦの情報及びＦＥＴスイッチ１４〜ＦＥＴスイッチ１６の印加電圧の情報である設定情報を取得する（ステップＳ１０３）。
【００５７】
制御部７は、取得した設定情報に合わせてスイッチ１１〜スイッチ１３のＯＮ／ＯＦＦを制御する。さらに、制御部７は、取得した設定情報に合わせてＦＥＴスイッチ１４〜ＦＥＴスイッチ１６へ電圧を印加する（ステップＳ１０４）。
【００５８】
ＢＢ部５は、操作者から入力された信号を変調する（ステップＳ１０５）。
【００５９】
ＰＡ１４〜ＰＡ１６のうち送信信号のバンドに応じた増幅器が、変調された送信信号の入力をＢＢ部５から受ける。そして、送信信号の入力を受けた増幅器は、送信信号を増幅する（ステップＳ１０６）。
【００６０】
そして、増幅された送信信号は、アンテナ９から送信される（ステップＳ１０７）。
【００６１】
ここで、図６を参照して、本実施例に係る携帯電話による負荷インピーダンスの変化について説明する。図６は、実施例１に係る携帯電話による負荷インピーダンスの変化を説明するためのスミスチャートである。ここでは、携帯電話は、開いた状態でのインピーダンスが整合するように設計されている場合で説明する。
【００６２】
実線３００は、ＩＳＯを単に除いただけで、インピーダンスの整合を行わない場合の携帯電話を開いた状態での伝送経路のインピーダンスを表している。詳しくは、実線３００は、携帯電話を閉じた状態でのＰＡ４１〜４３のうち各バンドに対応する増幅器とアンテナとを結ぶ伝送経路の負荷インピーダンスをバンド毎に求めそれらを結んだものである。
【００６３】
ここでは、携帯電話を開いた状態でのインピーダンスが整合するように設計されているため、実線３００はスミスチャートの中央付近にある。そこで、開いた状態でのインピーダンスの整合を行わなくてもよい。そのため、本実施例に係る携帯電話でもＦＥＴスイッチをコンデンサとして用いたインピーダンスの整合は行わない。すなわち、本実施例に係る携帯電話の開いた状態での伝送経路のインピーダンスも実線３００で表される。
【００６４】
これに対して、点線３０２は、ＩＳＯを単に除いただけで、インピーダンスの整合を行わない場合の携帯電話を閉じた状態での伝送経路のインピーダンスを表している。詳しくは、点線３０２は、携帯電話を閉じた状態でのＰＡ４１〜４３のうち各バンドに対応する増幅器とアンテナとを結ぶ伝送経路の負荷インピーダンスをバンド毎に求めそれらを結んだものである。
【００６５】
点線３０２は、スミスチャートの紙面に向かって上側に大きく延びてしまっており、負荷インピーダンスは周波数によって大きく変動している。これでは、使用する周波数によっては増幅器の増幅による歪が大きくなってしまい信号が劣化してしまう。そこで、この場合には、インピーダンスの整合を行うことが好ましい。この場合、伝送経路とグランドとの間にコンデンサとしてみなすことができるＦＥＴスイッチを挿入することで、スミスチャートの紙面に向かって左上から右下方向にインピーダンスを変化させることができる。すなわち、本実施例に係る携帯電話を用いることで、点線３０２で表されるインピーダンスをスミスチャートの紙面に向かって左上から右下方向に向けて移動させることができる。
【００６６】
一点鎖線３０１は、本実施例に係る携帯電話を閉じた状態での伝送経路のインピーダンスを表している。詳しくは、一点鎖線３０１は、本実施例に係る携帯電話を閉じた状態でのＰＡ４１〜４３のうち各バンドに対応する増幅器とアンテナとを結ぶ伝送経路の負荷インピーダンスをバンド毎に求めそれらを結んだものである。
【００６７】
一点鎖線３０１は、点線３０２よりもスミスチャートの中心に近づいている。すなわち、本実施例に係る携帯電話の方が、ＩＳＯを単に除いただけで、インピーダンスの整合を行わない場合の携帯電話に比べて、負荷インピーダンスが安定している。
【００６８】
このように、本実施例の携帯電話は、ＦＥＴスイッチ１４〜１６を伝送経路とグランドとを結ぶコンデンサとして用いることで、アンテナのインピーダンスが変化した場合の負荷インピーダンスを改善することができる。
【００６９】
以上に説明したように、本実施例に係る無線端末装置は、アンテナスイッチをコンデンサとして用いることにより、アンテナのインピーダンスとＰＡのインピーダンスとを整合させることができる。これにより、アイソレータをＰＡとアンテナとの間に設けなくても、アンテナのインピーダンスが変化した影響がＰＡに及ぶことを抑えることができる。したがって、電力効率を下げずに部品を削減することができる。
【実施例２】
【００７０】
図７は、実施例２に係る携帯電話のブロック図である。本実施例に係る携帯電話は、実施例１の携帯電話のスイッチ１１〜スイッチ１３をＦＥＴスイッチに代えたものである。図７において、図１と同じ符号を有する各部は、特に説明の無い限り同じ機能を有するものとする。
【００７１】
図７に示すように、本実施例に係る携帯電話のＡＮＴスイッチ１は、ＦＥＴスイッチ１４〜ＦＥＴスイッチ１９を有する。
【００７２】
ＦＥＴスイッチ１７は、アンテナ９とＬＮＡ３１及びＰＡ４１とをＤＵＰ２１を介して接続する信号の伝送経路上に配置される。本実施例では、ＦＥＴスイッチ１７は、アンテナ９とＤＵＰ２１との間に設けられている。
【００７３】
ＦＥＴスイッチ１７は、ＦＥＴスイッチ１４と同様の構成を有するスイッチである。ＦＥＴスイッチ１７は、送信信号のバンドがＢａｎｄ１の場合、制御部７からの制御を受けて、−０．８Ｖ以下の電圧が印加されＯＮとなる。また、ＦＥＴスイッチ１７は、送信信号のバンドがＢａｎｄ２又はＢａｎｄ３の場合、制御部７からの制御を受けて、中間電圧が印加され所定の静電容量を有するコンデンサとなる。
【００７４】
ＦＥＴスイッチ１８は、ＦＥＴスイッチ１４と同様の構成を有するスイッチである。ＦＥＴスイッチ１８は、送信信号のバンドがＢａｎｄ２の場合、制御部７からの制御を受けて、−０．８Ｖ以下の電圧が印加されＯＮとなる。また、ＦＥＴスイッチ１８は、送信信号のバンドがＢａｎｄ１又はＢａｎｄ３の場合、制御部７からの制御を受けて、中間電圧が印加され所定の静電容量を有するコンデンサとなる。
【００７５】
ＦＥＴスイッチ１９は、ＦＥＴスイッチ１４と同様の構成を有するスイッチである。ＦＥＴスイッチ１９は、送信信号のバンドがＢａｎｄ３の場合、制御部７からの制御を受けて、−０．８Ｖ以下の電圧が印加されＯＮとなる。また、ＦＥＴスイッチ１９は、送信信号のバンドがＢａｎｄ１又はＢａｎｄ２の場合、制御部７からの制御を受けて、中間電圧が印加され所定の静電容量を有するコンデンサとなる。このＦＥＴスイッチ１７〜１９が、「第１スイッチ」の一例にあたる。
【００７６】
図８は、実施例２に係る携帯電話のＡＮＴスイッチ部の回路例を示す図である。端子Ｔ１は、ＦＥＴスイッチ１４のゲート端子に接続されている。端子Ｔ２は、ＦＥＴスイッチ１５のゲート端子に接続されている。端子Ｔ３は、ＦＥＴスイッチ１６のゲート端子に接続されている。端子Ｔ４は、ＦＥＴスイッチ１７のゲート端子に接続されている。端子Ｔ５は、ＦＥＴスイッチ１８のゲート端子に接続されている。端子Ｔ６は、ＦＥＴスイッチ１９のゲート端子に接続されている。端子Ｔ１〜Ｔ６にはそれぞれ異なる電圧をかけることができる。これにより、ＦＥＴスイッチ１４〜ＦＥＴスイッチ１９のそれぞれにゲート電圧を異ならせて印加することができる。
【００７７】
図９は、実施例２に係る携帯電話の設定情報テーブルの一例の図である。図９に示すように、本実施例では、設定情報テーブル４００には、バンド、開閉状態及び印加電圧の項目が設けられている。設定情報テーブル４００の印加電圧の項には、バンド情報及び開閉状態の組に対応するＦＥＴスイッチ１４〜ＦＥＴスイッチ１９のそれぞれに印加する電圧が記載されている。
【００７８】
例えば、送信信号のバンドがＢａｎｄ１かつ携帯電話が閉じた状態の場合について説明する。この場合、対応するＦＥＴスイッチ１４〜ＦＥＴスイッチ１９のそれぞれに印加する電圧は、Ｖ’１（２）〜Ｖ’６（２）となる。ここで、送信信号のバンドがＢａｎｄ１の場合、ＰＡ４１で送信信号を増幅し、その増幅した送信信号をアンテナ９から送信するので、ＦＥＴスイッチ１７はＯＮとなる。そこで、Ｖ’４（２）は、−０．８Ｖよりも高い電圧である。この場合、ＦＥＴスイッチ１７がＯＮであり、ＰＡ４１で増幅された送信信号はＤＵＰ２１及びスイッチ１１を経由してアンテナ９から送信される。そして、Ｖ’１（２）、Ｖ’２（２）、Ｖ’３（２）、Ｖ’５（２）及びＶ’６（２）は、それらの電圧を印加した場合のＦＥＴスイッチ１４〜１６、１８及び１９の静電容量によりアンテナ９のインピーダンスとＰＡ４１の出力インピーダンスとの整合が取れるように決定されている。言い換えれば、アンテナ９とＰＡ４１とを結ぶ伝送路の負荷インピーダンスをスミスチャートで表した場合に、表された負荷インピーダンスがスミスチャートの中心部に近づくようにＦＥＴスイッチ１４〜１６、１８及び１９の静電容量が決定される。そして、その決定された静電容量をＦＥＴスイッチ１４〜１６、１８及び１９が有する電圧がＶ’１（２）、Ｖ’２（２）、Ｖ’３（２）、Ｖ’５（２）及びＶ’６（２）である。
【００７９】
ここで、図９の設定情報テーブル４００には、３通りの設定情報が記載されているが、実際には、使用するバンド数とそれに対応する開閉状態の数の設定情報が、設定情報テーブル４００に記載されている。また、ここでは送信信号のバンドがＢａｎｄ１かつ携帯電話が閉じた状態の場合の印加電圧について説明したが、バンドや開閉状態が他の場合においても、同様に印加電圧が決定される。
【００８０】
次に、図１０を参照して、本実施例に係る携帯電話の信号送信の処理の流れについて説明する。図１０は、実施例２に係る携帯電話の信号送信の処理のフローチャートである。
【００８１】
制御部７は、開閉検知部８が検知した携帯電話の開閉状態の情報を取得する（ステップＳ２０１）。
【００８２】
次に、制御部７は、送信信号として使用する信号のバンドの情報をＢＢ部５から取得する（ステップＳ２０２）。
【００８３】
そして、制御部７は、開閉状態の情報及びバンド情報に対応するＦＥＴスイッチ１４〜ＦＥＴスイッチ１９の印加電圧の情報である設定情報を取得する（ステップＳ２０３）。
【００８４】
制御部７は、取得した設定情報に合わせてＦＥＴスイッチ１４〜ＦＥＴスイッチ１９へ電圧を印加する（ステップＳ２０４）。
【００８５】
ＢＢ部５は、操作者から入力された信号を変調する（ステップＳ２０５）。
【００８６】
ＰＡ４１〜ＰＡ４３のうち送信信号のバンドに応じた増幅器が、変調された送信信号の入力をＢＢ部５から受ける。そして、送信信号の入力を受けた増幅器は、送信信号を増幅する（ステップＳ２０６）。
【００８７】
そして、増幅された送信信号は、アンテナ９から送信される（ステップＳ２０７）。
【００８８】
以上に説明したように、本実施例に係る携帯電話は、伝送経路とグランドとの間に配置されたコンデンサとみなせるＦＥＴスイッチに加えて、伝送経路上にコンデンサとみなせるＦＥＴスイッチを配置している。これにより、伝送経路上に配置されたＦＥＴスイッチを、アンテナのインピーダンスとＰＡの出力インピーダンスとの整合に用いることができる。ここで、伝送経路とグランドとの間のコンデンサの静電容量の調整では、整合できる範囲は容量性の領域に限られ、調整できる範囲がスミスチャートの上半分に限定されてしまうおそれがある。これでは、アンテナのインピーダンスが誘導性となった場合に対応ができない。これに対して、伝送経路上のコンデンサの静電容量を調整することで、誘導性の領域に対しても整合を行うことができる。すなわち、本実施例に係る無線端末装置を用いることで、許容性及び許容性のいずれの領域に対しても整合を行うことができる。したがって、実施例１の場合に比べて、本実施例に係る無線端末装置ではアンテナのインピーダンスの変化に対して整合を行える範囲を広げることができ、より適切にインピーダンスの整合を行うことができる。
【実施例３】
【００８９】
図１１は、実施例３に係る携帯電話のブロック図である。本実施例に係る携帯電話は、アンテナのインピーダンスの変化を取得して、その変化に応じて印加電圧を変化させることが実施例１及び実施例２と異なるものである。そこで、以下では、アンテナのインピーダンスの検出及び検出したインピーダンスによる印加電圧の調整について主に説明する。図１１において、図１と同じ符号を有する各部は、特に説明の無い限り同じ機能を有するものとする。また、以下の説明では、実施例１を基にした場合の説明を行うが、実施例２に本実施例の機能を加えることもでき、その場合にも同様の効果を奏する。
【００９０】
本実施例に係る携帯電話は、図１１に示すように、インピーダンス検出部１０が、アンテナ９とＡＮＴスイッチ１の間に配置されている。また、この場合、図１における開閉検知部８を設けなくてもよく、本実施例では、開閉検知部８を設けない場合で説明する。図１２は、インピーダンス検出部の詳細を表すブロック図である。
【００９１】
インピーダンス検出部１０は、図１２に示すように、ＰＲＥＶ（Power  Reverse：反射波電力）取得部１０１、ＰＦＲＤ（Power  Forward：進行波電力）取得部１０２及びインピーダンス算出部１０３を有している。インピーダンス検出部１０が、「インピーダンス取得部」の一例にあたる。
【００９２】
アンテナ９のインピーダンスの影響で反射波が発生している。そして、ＰＲＥＶ取得部１０１は、アンテナ９のインピーダンスによる反射波の電力を取得する。そして、ＰＲＥＶ取得部１０１は、取得した反射波電力をインピーダンス算出部１０３へ出力する。
【００９３】
ＰＦＲＤ取得部１０２は、ＡＮＴスイッチ１からアンテナ９に向かう進行波の電力を取得する。そして、ＰＦＲＤ取得部１０２は、取得した進行波電力をインピーダンス算出部１０３へ出力する。
【００９４】
インピーダンス算出部１０３は、反射波電力の入力をＰＲＥＶ取得部１０１から受ける。また、インピーダンス算出部１０３は、進行波電力の入力をＰＦＲＤ取得部１０２から受ける。そして、インピーダンス算出部１０３は、進行波電力と反射波電力との比を求めることで、アンテナ９のインピーダンスを算出する。そして、インピーダンス算出部１０３は、算出したアンテナ９のインピーダンスを制御部７へ出力する。
【００９５】
制御部７は、アンテナ９のインピーダンスの入力をインピーダンス算出部１０３から受ける。そして、制御部７は、受信したアンテナ９のインピーダンスに応じて、ＦＥＴスイッチ１４〜１６のそれぞれに対して印加する電圧を変化させそれぞれの静電容量を調整する。そして、制御部７は、インピーダンス算出部１０３から入力されるアンテナ９のインピーダンスが所定値になるまでＦＥＴスイッチ１４〜１６の静電容量の調整を行う。ここで、本実施例では、制御部７は、アンテナ９のインピーダンスの所定値を１０ｄＢとしている。
【００９６】
ここで、図１３を参照して、制御部７によるアンテナ９のインピーダンスの調整の一例を説明する。図１３は、検出されたアンテナのインピーダンスに対する印加電圧の制御を説明するための図である。図１３の横軸はゲートソース間電圧を表しており、縦軸はドレイン電流を表している。そして、実線がＦＥＴスイッチ１４の伝達特性５００を表している。この伝達特性は、ＦＥＴスイッチ１５及び１６でも同じである。ここで、アンテナ９のインピーダンスは、ΔＶＧＳ／ΔＩＤＳとなる。例えば、点線で表されるΔＶＧＳに対応するΔＩＤＳは一点鎖線で表される。この場合、点線と一点鎖線とが形成する直角三角形の斜辺の傾きがアンテナ９のインピーダンスとなる。すなわち、伝達特性５００の傾きがゆるければ、アンテナ９のインピーダンスが高いことを示している。また、伝達特性５００の傾きが急であれば、アンテナ９のインピーダンスが低いことを示している。すなわち、伝達特性５００は、電圧を高くするとインピーダンスが下がることを示している。
【００９７】
制御部７は、図１３に示すＦＥＴスイッチ１４〜１６の伝達特性を記憶しておく。そして、制御部７は、記憶している伝達特性から受信したアンテナ９のインピーダンスを１０ｄＢにするように、各ＦＥＴスイッチ１４〜１６の電圧を高くするか低くするかを決める。そして、制御部７は、ＦＥＴスイッチ１４〜１６のそれぞれに印加している電圧を、決定した電圧に変化させる。このようにして、制御部７は、アンテナ９のインピーダンスが所定値になるように調整を行う。
【００９８】
次に、図１４を参照して、本実施例に係る携帯電話の信号送信の処理の流れについて説明する。図１４は、実施例３に係る携帯電話の信号送信の処理のフローチャートである。
【００９９】
制御部７は、送信信号として使用する信号のバンドの情報をＢＢ部５から取得する。そして、制御部７は、バンド情報に合わせてスイッチ１１〜スイッチ１３のＯＮ／ＯＦＦを制御する（ステップＳ３０１）。
【０１００】
インピーダンス検出部１０は、アンテナ９のインピーダンスを検出する（ステップＳ３０２）。
【０１０１】
制御部７は、アンテナ９のインピーダンスの入力をインピーダンス検出部１０から受ける。そして、制御部７は、受信したアンテナ９のインピーダンスが所定値か否かを判定する（ステップＳ３０３）。
【０１０２】
アンテナ９のインピーダンスが所定値でない場合（ステップＳ３０３否定）、制御部７は、受信したアンテナ９のインピーダンスが所定値に近づくようにＦＥＴスイッチ１４〜ＦＥＴスイッチ１６の印加電圧を求める（ステップＳ３０４）。
【０１０３】
制御部７は、求めた印加電圧をＦＥＴスイッチ１４〜ＦＥＴスイッチ１６のそれぞれへ印加する（ステップＳ３０５）。その後、ステップＳ３０２へ戻る。
【０１０４】
これに対して、アンテナ９のインピーダンスが所定値の場合（ステップＳ３０３肯定）、ＢＢ部５は、操作者から入力された信号を変調する（ステップＳ３０６）。
【０１０５】
そして、ＰＡ４１〜ＰＡ４３のうち送信信号のバンドに応じた増幅器が、変調された送信信号の入力をＢＢ部５から受ける。そして、送信信号の入力を受けた増幅器は、送信信号を増幅する（ステップＳ３０７）。
【０１０６】
そして、増幅された送信信号は、アンテナ９から送信される（ステップＳ３０８）。
【０１０７】
以上に説明したように、本実施例に係る携帯電話は、アンテナのインピーダンスを検出し、検出したインピーダンスを基にＦＥＴスイッチの静電容量を調整して、アンテナインピーダンスとＰＡの出力インピーダンスとを整合させる。これにより、本実施例に係る無線端末装置は、実施例１及び実施例２の場合に比べてより適切にアンテナインピーダンスとＰＡの出力インピーダンスとを整合させることができる。また、本実施例に係る無線端末装置によれば、アンテナのインピーダンスのどのような変化に対しても、適切にアンテナインピーダンスとＰＡの出力インピーダンスとを整合させることができる。
【０１０８】
また、以上の各実施例では、３つのバンドを使用する場合で説明したが、バンドの数には特に制限は無い。
【符号の説明】
【０１０９】
１  ＡＮＴスイッチ
５  ＢＢ部
６  記憶部
７  制御部
８  開閉検知部
９  アンテナ
１０  インピーダンス検出部
１１〜１３  スイッチ
１４〜１９  ＦＥＴスイッチ
２１〜２３  ＤＵＰ
３１〜３３  ＬＮＡ
４１〜４３  ＰＡ
１０１  ＲＲＥＶ取得部
１０２  ＰＦＲＤ取得部
１０３  インピーダンス算出部
【図１】
0005672098.tif 000002
【図２】
0005672098.tif 000003
【図３】
0005672098.tif 000004
【図４】
0005672098.tif 000005
【図５】
0005672098.tif 000006
【図６】
0005672098.tif 000007
【図７】
0005672098.tif 000008
【図８】
0005672098.tif 000009
【図９】
0005672098.tif 000010
【図１０】
0005672098.tif 000011
【図１１】
0005672098.tif 000012
【図１２】
0005672098.tif 000013
【図１３】
0005672098.tif 000014
【図１４】
0005672098.tif 000015